(57)【要約】【課題】中継現場で撮影した撮影映像を編集して放送映像とする編集方式において、撮影終了から放送映像送出までのリードタイムの短縮化を実現する撮影映像編集方法およびその装置を提供する。【解決手段】中継現場で放送フォーマットにより撮影した撮影映像を低画質化した低画質映像を編集部に向け低ビットレート送信し、この編集部においてオフライン編集し、生成した編集リスト（ＥＤＬデータ）を今度は、中継現場に返信し、この編集リストに基づいて、撮影映像を編集することにより、中継現場で放送映像を生成可能とすることを特徴とした。【選択図】      図１
2004289718.tif 000002
【特許請求の範囲】
【請求項１】
映像を編集する編集現場から離れた中継現場で撮影した撮影映像を、放送映像に編集する撮影映像編集方法であって、
前記撮影映像を記録メディアに記録する映像記録ステップと、
前記撮影映像の解像度を落とした低画質映像を前記編集現場側に送信する低画質映像送信ステップと、
前記編集現場側で、前記低画質映像を受信する低画質映像受信ステップと、
この低画質映像受信ステップで受信した前記低画質映像を編集し、映像を構成するフレームの順番情報を含む編集リストを生成する編集リスト作成ステップと、
前記編集リストを、前記中継現場側に送信する編集リスト送信ステップと、
前記中継現場側で、前記編集リストを受信する編集リスト受信ステップと、
この編集リスト受信ステップで受信した前記編集リストの、フレーム順番情報に基づいて、前記記録メディアに記録されている前記撮影映像を編集し、前記放送映像を生成する放送映像生成ステップと、
を含むことを特徴とする撮影映像編集方法。
【請求項２】
映像を編集する編集現場から離れた中継現場で撮影した撮影映像を、映像を構成するフレームの順番情報を含む編集リストに基づき、放送映像として編集する撮影映像編集装置であって、
前記撮影映像の解像度を落とした低画質映像が前記編集現場側に送信された後、編集されて生成した前記編集リストを受信する編集リスト受信手段と、
記録メディアに記録された前記撮影映像を再生する記録メディア再生手段と、前記編集リストのフレーム順番情報に基づいて、前記記録メディア再生手段を制御し、前記撮影映像から前記放送映像を生成する編集リスト制御手段と、
を有することを特徴とする撮影映像編集装置。
【発明の詳細な説明】
【０００１】
【発明の属する技術分野】
本発明は、放送番組の制作にあたって中継現場からの撮影映像をいち早く放送用に編集し、編集後の放送映像の送出を迅速化する方法およびその装置に関するものである。
【０００２】
【従来の技術】
従来方法では、中継現場で撮影された映像に対して、撮影終了後放送されるまでに行う編集作業は、例えば報道番組を製作するために以下のような作業を行っていた。まず、取材スタッフが中継現場において、撮影カメラにより取材対象を放送フォーマットに対応した撮影映像として、記録メディア（カートリッジテープ等）に記録する。そして、この撮影映像が記録された記録メディアから、放送に使用する映像部分を抽出し、並べ替え、継ぎ合わすといった編集作業を経ることにより、放送用に編集した放送映像を得るといった作業を行っていた（例えば、非特許文献１参照）。
【０００３】
さらに、この編集作業は、大別して中継現場に移動した中継車の中で取材スタッフにより行われる場合と、放送局内の編集スタッフにより行われる場合とに分けられる。そして、後者の放送局内で行われる場合には、撮影映像が記録された記録メディアが放送局に到着後、編集される場合と、中継車から、この撮影映像を高速・大容量伝送可能な専用回線を通じて放送局に送信後、編集される場合とがある。
【０００４】
【非特許文献１】
日本放送協会、“ニュース情報番組ができるまで”、［ｏｎｌｉｎｅ］、ＮＨＫホームページ、［平成１５年１月５日検索］、インターネット＜ＵＴＬ：  ＨＹＰＥＲＬＩＮＫ  ”ｈｔｔｐ：／／ｗｗｗ２．ｎｈｋ．ｏｒ．ｊｐ／ｋｏｄｏｍｏ−ｌａｎｄ／ｙｅｌｌｏｗ／ｙｅｌｌｏｗ”  ｈｔｔｐ：／／ｗｗｗ２．ｎｈｋ．ｏｒ．ｊｐ／ｋｏｄｏｍｏ−ｌａｎｄ／ｙｅｌｌｏｗ／ｙｅｌｌｏｗ＿ｎ＿ｊｉｋｅｎ＿ｔｏｐ．ｈｔｍｌ＞
【０００５】
【発明が解決しようとする課題】
ところで、従来方法において、放送局内の編集スタッフにより撮影映像の編集を行う場合は、中継現場で取材スタッフにより編集を行う場合に比べて、番組進行の全体の流れが反映され、より品質の高い放送映像を作成できるといった特長を有する。しかし、この放送局内における編集は、撮影映像を記録した記録メディアの移送時間を考えると、撮影終了から放送映像送出までのリードタイムが長く、速報性を重要視する報道番組における取材の場合には不向きである。
【０００６】
そこで、従来は、中継現場の中継車から高速伝送の専用回線を通じて放送局に撮影映像を送信することで、撮影映像の放送局への移送時間を短縮していた。しかし、この方法では、コスト面の問題が避けられない。これは、放送フォーマットによる映像は高画質映像であるため、高ビットレート送信が可能で使用料が高価な衛星通信等の専用回線を利用せざるをえないことのみならず、収録後の撮影映像は、実際の放送に使われる編集後の放送映像の長さに比べて、一般に数倍から十数倍の時間的長さを有すること等による。
【０００７】
一方、中継車において取材スタッフにより編集を行う場合は、編集後の放送映像を専用回線で放送局に高速伝送したとしても、編集後のコンパクト化された映像であれば、コスト的な問題を生ぜしめることなく、撮影終了から放送までのリードタイムを短縮させることが可能である。しかし、放送局内の編集スタッフにより編集を行う場合に比較して、番組進行における全体の流れを反映させにくいとか、取材スタッフの機器操作の不慣れによる編集品質上の問題等が避けられない。
【０００８】
このように従来方法においては、収録後の撮影映像を放送用の放送映像とする編集作業を中継車内もしくは放送局内のどちらで実施する場合であっても、編集品質、リードタイム、コストのうちいずれかの問題を含んでいた。一方、報道番組においては、情報の鮮度が番組品質に大きく影響を与えるので、撮影終了から放送映像送出までのリードタイムのこれまで以上の短縮が望まれている。
【０００９】
本発明は、以上の問題点を解決することを目的としてなされたものであり、従来方法に比して特に撮影終了から放送映像送出までのリードタイムの短縮を実現する撮影映像編集方法およびその装置を提供することを目的とするものである。
【００１０】
【課題を解決するための手段】
本発明は、前記した目的を達成するために創案されたものであり、まず請求項１に記載の撮影映像編集方法は、映像を編集する編集現場から離れた中継現場で撮影した撮影映像を、放送映像に編集する撮影映像編集方法であって、前記撮影映像を記録メディアに記録する映像記録ステップと、前記撮影映像の解像度を落とした低画質映像を前記編集現場側に送信する低画質映像送信ステップと、前記編集現場側で、前記低画質映像を受信する低画質映像受信ステップと、この低画質映像受信ステップで受信した前記低画質映像を編集し、映像を構成するフレームの順番情報を含む編集リストを生成する編集リスト作成ステップと、前記編集リストを、前記中継現場側に送信する編集リスト送信ステップと、前記中継現場側で、前記編集リストを受信する編集リスト受信ステップと、この編集リスト受信ステップで受信した前記編集リストの、フレーム順番情報に基づいて、前記記録メディアに記録されている前記撮影映像を編集し、前記放送映像を生成する放送映像生成ステップと、を含むことを特徴とした。
【００１１】
この方法によれば、指示を受けた取材スタッフによりカメラ装置が携行され、車載されている中継部とともに中継現場に移動して撮影が行われ、放送フォーマットに対応した撮影映像が光ディスク等の記録メディア上に記録される。また同時に、カメラ装置は、編集現場に向けて、撮影映像の解像度を落とした低画質映像を電話回線などの一般回線を使って低ビットレート送信する。この低画質映像を受信することにより、編集現場の編集スタッフは、極めて簡便に低コストで、中継現場のリアルタイム映像を確認できることとなる。
【００１２】
そして、編集現場において、受信された低画質映像はオフライン編集され、すなわち、編集スタッフにより適当に切り出し、並び替え、接合され、放送に直接用いない低画質オフライン編集映像が作成される。なお、この低画質オフライン編集映像の作成は、扱うデータが低画質映像であるので、パソコンレベルの処理能力を有するコンピュータで行える。オフライン編集が終了すると作成した低画質オフライン編集映像の編集リスト（ＥＤＬ（Ｅｄｉｔ  Ｄｅｃｉｓｉｏｎ  Ｌｉｓｔ））が生成される。
【００１３】
次に、生成した編集リストは、電話回線などの一般回線を使って中継現場に配置されている中継部に送信され、取材スタッフの元に届く。そして、この編集リストに基づいて、記録メディア上に記録された撮影映像のフレームの順番が並び替えられる。すると、低画質映像および撮影映像の対応するフレームは同一のタイムコードを有しているため、撮影映像は、低画質オフライン編集映像と同一の構成を有し、放送フォーマットに対応した高画質オンライン編集映像（放送映像）となる。
【００１４】
これにより編集作業は、撮影開始とほぼ同時に開始可能で、さらに撮影に並行して編集作業が進行可能なため、撮影終了から編集された放送映像を送出するまでのリードタイムを著しく短縮することが可能となる。
【００１５】
なお、オフライン編集とは、放送フォーマットに対応し編集された放送映像を作成するに先立って行う仮編集のことをいう。一般に、オフライン編集といった場合、編集点の目安をつけるだけの簡単なものを指すこともある。しかし、本発明においては、オフライン編集の結果によって生成する低画質オフライン編集映像は、最終生成品である高画質オンライン編集映像（放送映像）と比較して、画像が低画質であることを除けば、ほぼ同一の内容を有するものである。
オンライン編集とは、高画質である放送フォーマットに対応して撮影・記録された撮影映像を使用して映像部分の仕上げを行う本編集ことである。一般にはさらにサウンド等が追加され最終仕上げとなる。
【００１６】
本発明における低画質映像とは、電話回線等の安価な一般回線の伝送速度を通じて充分に動画として転送可能な程度の映像である。
撮影映像とは、例えばＮＴＳＣやＨＤＴＶなどの放送フォーマットに対応して撮影または記録された高画質映像のことである。
【００１７】
撮影とは、番組制作におけるメインスタジオでの撮影や、スタジオ外の中継撮影等を含む概念である。
中継とは、メインスタジオ以外での放送・収録を広く指し、主に、報道、スポーツ、芸能等の映像素材を製作することを目的とすることである。
【００１８】
また、請求項２に記載の撮影映像編集装置は、映像を編集する編集現場から離れた中継現場で撮影した撮影映像を、映像を構成するフレームの順番情報を含む編集リストに基づき、放送映像として編集する撮影映像編集装置であって、前記撮影映像の解像度を落とした低画質映像が前記編集現場側に送信された後、編集されて生成した前記編集リストを受信する編集リスト受信手段と、記録メディアに記録された前記撮影映像を再生する記録メディア再生手段と、前記編集リストのフレーム順番情報に基づいて、前記記録メディア再生手段を制御し、前記撮影映像から前記放送映像を生成する編集リスト制御手段と、を有することを特徴とした。
【００１９】
かかる構成によれば、編集現場から送信された編集リストが、中継現場において編集リスト受信手段により受信される。この編集リストは、中継現場から編集現場に向けて、低ビットレート送信された低画質映像がパソコン等の汎用コンピュータによりオフライン編集されてなる低画質オフライン編集映像の編集リストである。次に、この受信した編集リストに基づいて、記録メディア再生手段を制御し、記録メディアに記録された撮影映像を再生し、高画質オンライン編集映像（放送映像）を生成する。この記録メディアは、カートリッジテープや光ディスク等であって、中継現場において、撮影された放送フォーマット対応の撮影映像が記録されているものである。なお、この撮影映像は、編集現場に送信された低画質映像と同一のフレーム構成を有するものであって、撮影映像編集装置により低画質オフライン編集映像とフレーム構成を同じくする高画質オンライン編集映像（放送映像）が生成されることとなる。
【００２０】
これにより編集作業は、撮影開始とほぼ同時に開始可能で、さらに撮影に並行して編集作業が進行可能なため、撮影終了から編集された放送映像を送出するまでのリードタイムを著しく短縮することが可能となる。
【００２１】
【発明の実施の形態】
（第一の実施の形態）
以下本発明の実施形態について図面を参照しつつ説明する。
図１および図２を参照して本発明における実施の形態について説明する。図１は本発明にかかる撮影映像編集方法を実現する撮影映像編集システムの全体構成を示すブロック図である。本システムの構成は大きく、カメラ装置部Ａ、編集部Ｂ、中継部Ｃおよび放送部Ｄから構成される。
【００２２】
委託放送事業者が行っている放送番組の製作・送出等の事業において、例えば、報道番組では、通常、ニュースセンターと呼ばれる情報基地に、全国各地で取材している取材スタッフが現地で収録した撮影映像が集約され、編集スタッフによる加工・編集を経て放送されることとなる。ところで、報道番組では、番組の性格上、時事に関する速報性や情報鮮度等の重要性が極めて高いため、放送直前に撮影終了した中継現場の映像をいかに早く放送にのせるかが重要である。そして、本発明を達成する撮影映像編集システムは、中継現場で収録した撮影映像をいち早く編集すること、すなわち放送用に編集した放送映像として送出するまでのリードタイムを短縮することを可能とするものである。
【００２３】
そこで、本発明を達成する撮影映像編集システムは以下の構成を有しており、図１を参照しつつ、本システムを構成する各部分の詳細について説明することとする。
まず、カメラ装置部Ａは、取材対象を撮影し、その撮影した映像を放送フォーマットに対応した撮影映像として記録しつつ、同時に低画質映像として送信するものであって、一人のカメラマンにより携行・操作可能でバッテリー駆動可能な機動性を有するものである。そして、カメラ装置部Ａは、撮影手段１１、高ビットレートエンコーダ１２、外部記憶手段１３ａ、低ビットレートエンコーダ１５、バッファメモリ１６および低ビットレート送信手段１７を有している。
【００２４】
撮影手段１１は、中継現場における被写体の撮影ならびに音声の収録を行い映像信号と音声信号を出力するものである。なお、撮影手段１１は、ＮＴＳＣやＨＤＴＶなどの放送フォーマットに対応した高画質映像の撮影が可能なものである。そして出力された映像信号ならびに音声信号は、高ビットレートエンコーダ１２および低ビットエンコーダ１５にそれぞれ分配される。
【００２５】
高ビットレートエンコーダ１２は、撮影手段１１から入力される映像信号を放送フォーマットである、例えばＮＴＳＣフォーマット（５０Ｍｂｐｓ以上）またはＨＤＴＶフォーマット（１５０Ｍｂｐｓ以上）等の撮影映像に変換するものである。
【００２６】
外部記憶手段１３ａは、高ビットレートエンコーダ１２による撮影映像を記録メディア１４ａに記録するもので、映像データを保存可能でかつ保存後の映像データを後記するオンライン編集装置Ｆ（撮影映像編集装置）でノンリニア編集可能とするものであれば何でもよい。現在、記録メディア１４ａとして磁気テープカートリッジを使用する外部記憶手段１３ａが撮影手段１１と一体化したカメラ一体型ＶＴＲとして広く使用されている。また、ノンリニア編集可能であるとは、記録メディア１４ａ上の任意の映像カットに記録順に関係なく直接的なアクセスを可能とし、後記する編集リスト（ＥＤＬ）に基づく、映像カットの抽出、並び替え等のオンライン編集を可能とすることである。
【００２７】
このように、ノンリニア編集によれば、記録メディア１４ａ上に記録された撮影映像のうち目的とする映像カットへのアクセス時間が短縮されるので、編集にかかるトータル時間の短縮が実現できる。このため、記録メディア１４ａは、即時アクセスに優れるディスクタイプの、例えば光ディスクのようなものであれば好適であり、この場合、カットを細かくつないでいくような編集において、編集時間の大幅な短縮が期待される。
【００２８】
低ビットレートエンコーダ１５は、撮影手段１１から入力される映像信号を例えばＭＰＥＧ４フォーマット（５００Ｋｂｐｓ）等の低画質映像に変換するものである。もしくは、高ビットレートエンコーダ１２において変換された撮影映像を一般回線で伝送可能な程度に低画質映像に圧縮するものであってもよい。このように、低ビットレートエンコーダ１５により得られた低画質映像は、電話回線等の安価な一般回線の伝送速度を通じて充分に動画として転送可能な程度の低画質映像である。さらに、この低画質映像は、後記するように、パソコン等の汎用コンピュータによるオフライン編集が充分に可能な程度のものとする。
【００２９】
バッファメモリ１６は、低ビットレートエンコーダ１５が送出した映像データが低ビットレート送信手段１７におけるデータ送信に適切なデータ長となるまで低画質映像データを一時的に蓄積するものである。
低ビットレート送信手段１７は、バッファメモリ１６に蓄えられた低画質映像を無線ＬＡＮまたは電話回線等の一般回線を通して編集部Ｂに低ビットレートでリアルタイム送信するものである。低ビットレート送信手段１７は、好ましくは携帯電話機であるがこれに限定されるものでなく、低画質映像をリアルタイム動画送信できるものであればよい。
【００３０】
以上述べたように、カメラ装置部Ａは、現在、取材撮影用カメラとして一般的に使用されているカメラ一体型ＶＴＲに、撮影した映像を低ビットレート出力し、さらにこれを一般回線で伝送可能とする機能を付加したものである。この機能により、後記する編集部Ｂにおいて、中継現場における映像をほぼリアルタイムで監視可能となり、さらに、平行してオフライン編集も可能となる。
【００３１】
編集部Ｂは、中継現場のカメラ装置部Ａからリアルタイム送信される低画質映像を受信し、編集スタッフによるオフライン編集作業を通じて編集リスト（ＥＤＬ）を作成するものであり、低ビットレート受信手段２１、編集処理装置Ｅおよび編集リスト送信手段２６からなる。またこの編集部Ｂの機能は、通常の報道番組の製作現場においては、放送局内に存在するものであるが、前記一般回線の使用できるところであれば任意の場所で機能することが可能である。
【００３２】
低ビットレート受信手段２１は、中継現場においてカメラ装置部Ａにより撮影され、低ビットレート送信手段１７よりリアルタイムで送信されてきた低画質映像を受信するものである。そして、この受信された低画質映像を、編集処理装置Ｅ内の低画質映像記憶手段２２に出力するためのものである。
【００３３】
編集処理装置Ｅは、編集スタッフにより操作され、低ビットレート受信手段２１が受信した長時間の映像である低画質映像を放送用の時間尺にノンリニア編集するものである。そして、編集処理装置Ｅは、低画質映像記憶手段２２、オフライン編集手段２３、編集リスト生成手段２４および映像モニタ２５からなる。
【００３４】
ところで、ノンリニア編集とは、ＶＴＲ編集のようなテープ記録順に、シーンをサーチする方法と異なり、各映像フレームに付されたタイムコードを頼りに、記録順番と無関係に記録メディア１４ａ上をアクセスし、要求する映像カットを抽出して編集する方法である。報道番組のように、より迅速性、効率性が求められている編集作業環境において、ノンリニア編集は不可欠である。なお、低画質映像データを扱う編集処理装置Ｅは、映像処理において高い処理能力を要求するものでないので、汎用コンピュータであるパソコン程度の処理能力を有すれば充分である。
【００３５】
オフライン編集手段２３は、低画質映像記憶手段２２に保存された映像素材中の、一連の映像カットから放送に必要とする、映像カットを抽出し、並び替え、接合するといった作業を通じ、放送用の時間尺に編集した低画質オフライン編集映像を生成するものである。これらの作業において、抽出した映像カットの頭だし等は、映像カットを構成しているフレーム毎に記録された絶対位置情報であるタイムコードを頼りに行うため、的確で簡便に行える特徴を有している。さらに、オフライン編集手段２３は、これら基本作業に加え、画面が切り替わる際の連続性を確保するため、映像カットと映像カットとの継目にワイプやディゾルブ等の特殊効果を加えたり指定した位置に字幕などを挿入したりする機能もあわせもつ。
【００３６】
低画質映像記憶手段２２は、低ビットレート受信手段２１が受信した低画質映像信号を保存するものである。前記したようにノンリニア編集においては、取り扱う映像は大容量でかつ映像素材中の所望する映像カットへの高速アクセスが要求されるものであるので、例えば固定ディスク型のような記録装置であることが望ましい。編集処理装置Ｅが現在における市販パソコンであるとすれば、ハードディスクドライブが低画質映像記憶手段２２に対応するものである。
【００３７】
映像モニタ２５は、低画質映像をモニタ画面上に表示しつつ、マウス、ペンタブレット等のポインティングデバイスまたはキーボード等の入力デバイスによる画面操作により、編集スタッフが行う映像カットの抽出、並び替え、接合等の編集映像を表示するものである。なお、映像モニタ２５に、映し出される映像は、連続動画であったり、映像フレームを一定時間間隔で時間軸順に配列したものであったりする。また、映像中に挿入する字幕等のテロップの作成や、ワイプやディゾルブ等の特殊効果の動作確認も映像モニタ２５のモニタ画面上で可能なこととする。
【００３８】
編集リスト生成手段２４は、オフライン編集手段２３で生成した低画質オフライン編集映像のタイムコード配列を編集リスト（ＥＤＬ（Ｅｄｉｔ  Ｄｅｃｉｓｉｏｎ  Ｌｉｓｔ）データ）として抽出するものである。ここで、ＥＤＬデータとは、映像を構成するフレームにそれぞれ付加された固有の絶対位置情報であるタイムコードの、フレームの配列順番に基づいた一連の配列である。ＥＤＬデータはこれらタイムコードのアドレスの配列からなるテキストベースデータであるため、映像が何十時間にわたる膨大なものであっても、ＥＤＬデータの容量は極めて小さくてすむ。
【００３９】
このため、映像管理の一手法として、映像素材を一箇所のサーバにストックしておき、番組制作時にこの映像素材のＥＤＬデータをベースに編集シーンを編成し管理する方式が現在、番組作成現場で定着しつつある。このように、ＥＤＬデータは、データ容量が膨大である撮影映像に対して、放送に必要とする映像カットの部分抽出、抽出した映像カット配列の組替えおよびその後の映像管理を容易にかつ効率的に実施することを可能とするものである。
【００４０】
編集リスト送信手段２６は、編集処理装置Ｅにおいて、編集スタッフが作成した低画質オフライン編集映像のＥＤＬデータを取材スタッフがいる中継部Ｃに向けて送信するものである。前記したように、ＥＤＬデータはテキストベースの低容量データであるため、使用する通信回線は低速の一般回線、例えば電話回線等で充分である。
【００４１】
中継部Ｃは、記録メディア１４ａに記録された、放送フォーマット対応の撮影映像を、編集部Ｂで作成したＥＤＬデータに従って、実際に放送される高画質オンライン編集映像（放送映像）として編集する機能を有するものである。さらに、記録メディアに記録された映像を後記する衛星通信等の専用回線により放送部Ｄに伝送する機能を有するものである。そして、中継部Ｃは、オンライン編集装置Ｆ（撮影映像編集装置）、外部記憶手段１３ｂおよび高ビットレート送信手段３４を有している。また、オンライン編集装置Ｆ（撮影映像編集装置）は、記録メディア再生手段３１、編集リスト受信手段３２および編集リスト制御手段３３からなる。
【００４２】
なお、中継部Ｃは、事件等の緊急を要する取材に即応できるように、いつでもスクランブル発進可能な車やヘリコプターなどの移動体に通常は搭載されている。しかし、中継部Ｃとして前記した構成要素を有するものであれば、固定基地局内に中継部Ｃが設置される場合もありうる。
【００４３】
編集リスト受信手段３２は、編集スタッフがオフライン編集により作成した低画質オフライン編集映像のＥＤＬデータを受信するものである。
編集リスト制御手段３３は、ＥＤＬデータのフレーム順番情報に基づいて、記録メディア１４ａに記録された撮影映像が、高画質オンライン編集映像（放送映像）として生成するように、記録メディア再生手段３１を制御するものである。
【００４４】
記録メディア再生手段３１は、記録メディア１４ａ上の指定位置から記録された撮影映像を連続的に再生する機能と、ＥＤＬデータに基づいて、指定位置をランダムにスキップして再生する機能とを有するものである。そして、編集スタッフから送信されたＥＤＬデータに基づいて、編集リスト手段３３を制御させ、記録メディア再生手段３１を駆動させた場合、出力される映像は、編集部Ｂで作成された低画質オフライン編集映像と同一のフレーム構成を有する高画質オンライン編集映像（放送映像）となる。
【００４５】
また、記録メディア再生手段３１は、複数のドライブを有する場合もありこの場合、同時に複数の記録メディア１４ａを再生することが可能である。この場合、編集リスト制御手段３３は、前記ＥＤＬデータに基づいて、複数の記録メディア１４ａから映像カットを抽出して、一つの高画質オンライン編集映像としてまとめるといった制御を可能とする。
【００４６】
なお、記録メディア再生手段３１には、図示しない映像モニタが設置されており、再生中の映像が取材スタッフに確認できるようになっている。さらに、図示しない操作レバーが設置されており、取材スタッフが映像を早送り、巻戻し、再生開始、再生ストップ等することができるようになっている。
【００４７】
外部記憶手段１３ｂは、前記した外部記憶手段１３ａと同等の機能を有するものであって、前記記録メディア再生手段３１で再生された、映像を記録メディア１４ｂに記録するものである。この記録メディア１４ｂは、取材スタッフが放送局に到着後、編集スタッフに手渡して、そのまま放送に付すことが可能な状態で映像編集されていることとする。すなわち、編集スタッフの意図した通りに編集された高画質オンライン編集映像（放送映像）が、中継現場で作成されるものである。
【００４８】
高ビットレート送信手段３４は、記録メディア再生手段３１より出力された撮影映像を放送部Ｄに向け、送信するものである。そして、高ビットレート送信手段３４は、図示しないパラボラアンテナを通常有し、高速・大容量送信可能とする専用回線を使用することを前提としており、この専用回線とは例えば、衛星を利用した衛星回線または地上中継局を利用した地上マイクロ回線であったりする。
【００４９】
この地上マイクロ回線は、周波数が高く直進性の高い電波を用いるために、山などの障害物の影響を受けやすく減衰も大きく、このため数十キロメートルごとに中継局を必要とするものである。これに対し、衛星回線は、通信衛星を利用するので、地上マイクロ回線における中継局のような施設を必要とせず、離島や山間部等の中継地域にかかわらず全国どこからでもリアルタイムで映像データの送信・受信を可能とするものである。
【００５０】
放送部Ｄは、中継現場から送られてきた高画質オンライン編集映像（放送映像）を受信し、一般視聴者向けに放送電波を発信するもので、高ビットレート受信手段４１、外部記憶手段１３ｃおよび送信手段４２を有する。
【００５１】
高ビットレート受信手段４１は、中継部Ｃから送信された撮影映像もしくは高画質オンライン編集映像（放送映像）の映像信号を受信するものである。
外部記憶手段１３ｃは、前記した外部記憶手段１３ａと同等の機能を有するものであって、高ビットレート受信手段４１が受信した撮影映像を記録メディア１４ｃに記録するものである。もしくは、特に図示しない固定ディスク記憶装置（サーバ）に記録するものである。
送信手段４２は、高ビットレート受信手段４１が受信した撮影映像信号を一般視聴者向けの放送電波として発信したり、もしくは記録メディア１４ｃに一旦記録された映像を発信したりするものである。
【００５２】
次に、図１、図２および図４を参照しつつ本発明を達成する撮影映像編集システムの動作を説明する。図２は、報道番組制作における中継現場の撮影映像を放送用に編集し、高画質オンライン編集映像（放送映像）とするまでの処理フローを示すフローチャートである。図４は、編集部Ｂにおいて編集スタッフが行うオフライン編集作業により、ＥＤＬデータ（編集リスト）を得るまでの過程を示す概念図である。
【００５３】
まず、放送局内の図示しない報道フロアにおいては、各地で取材している記者から逐一さまざまな情報が入り、編集スタッフは、これらの情報をチェックし、現場の映像が放送に必要であると判断すれば、現地の取材スタッフに出動を命じる（ステップＳ２０）。出動命令を受けた現地の取材スタッフは、中継部Ｃを搭載した中継車に乗車し中継現場に直行する（ステップＳ２１）。撮影現場に到着後、取材スタッフはカメラ装置部Ａをスタンバイさせ、取材対象の撮影を開始する（ステップＳ２２）。
【００５４】
このときカメラ装置部Ａの内部において、取材対象の撮影映像が、高ビットレートエンコーダ１２を介して放送フォーマットに対応した高画質映像として外部記憶手段１３ａに記録される（ステップＳ２４）。さらに、同時にこの映像は、低ビットレートエンコーダ１５により、低画質映像に変換され、同じくカメラ装置部Ａに配置されている携帯電話（低ビットレート送信手段１７）から携帯電話回線（一般回線）を通じてリアルタイム動画として放送局内の編集部Ｂに送信される（ステップＳ２３）。
【００５５】
一方、放送局内の編集部Ｂでは、一般回線を経由してリアルタイム動画配信される中継現場の撮影映像を低ビットレート受信手段２１で受信する（ステップＳ３２）。そして、この受信映像をパソコン（編集処理装置Ｅ）のハードディスク（低画質映像記憶手段２２）に取込みつつ映像モニタ２５上にリアルタイム表示する（ステップＳ３３）。
【００５６】
そして、編集スタッフは、この映像を最初から最後まで流して確認しつつ、放送用に抽出する映像部分をイメージする。また、必要に応じてリアルタイム表示されているフレームにマーカを付すことにより、撮影終了直後に実施する編集の識別目印として利用する。中継現場で撮影が終了すると、取材スタッフから編集スタッフへその旨が報告される（ステップＳ２５）。この報告を受けた編集スタッフは、パソコンの映像モニタ２５上で図４（ａ）に示すように、送信された低画質映像を連続的に再生したり、クイックもしくはスロー再生したり、映像フレームを一定時間間隔に並列に配置したりする。
【００５７】
そして、図４（ｂ）に示すように、映像カットを抽出し、適当に並び替える。そして、全体として予め決められた時間枠に収まるように、各映像カットの始端および終端部分の映像を削り取る。さらに、必要に応じて、映像の中に字幕を挿入したり、映像カットの切り替わり部分がスムーズにつながるようにワイプやスライド等の特殊効果を映像カットの継目に施したりする。以上の工程を経て低画質オフライン編集映像が作成される（ステップＳ３４）。
【００５８】
次に、この作成した低画質オフライン編集映像に基づいて、図４（ｃ）に示すようなＥＤＬデータ（編集リスト）が作成され、中継現場にある中継部Ｃにむけて送信される（ステップＳ３５）。撮影を終了した取材スタッフは、ステップＳ２４において、取材撮影された中継現場の放送フォーマット対応の撮影映像が記録された記録メディア１４ａをカメラ装置部Ａから取り出し、記録メディア再生手段３１にセットする（ステップＳ２６）。そして、編集部Ｂより送信されたＥＤＬデータ（編集リスト）を編集リスト受信手段３２で受信し、このＥＤＬデータに基づいて、編集リスト制御手段３３の制御により記録メディア再生手段３１を駆動させる。すると、編集部で作成された低画質オフライン編集映像と同一のフレーム構成を有する高画質オンライン編集映像（放送映像）となって自動的に再生される（ステップＳ２７）。
【００５９】
そして、番組放送まで、時間的余裕がない場合は、編集リスト制御手段３３による編集再生を維持させつつ、同時にこの再生映像を高ビットレート送信手段３４からダイレクトに放送部Ｄに送信する（ステップＳ２８）。また、この送信と同時に外部記憶手段１３ｂにおいてバックアップを記録メディア１４ｂに行う。また、このバックアップした記録メディア１４ｂを記録メディア再生手段３１にかければ、送信途中でエラーが発生しても、適宜再送信が可能である。もしくは、この高画質オンライン編集映像（放送映像）の放送部Ｄへの受け渡しは、送信によらなくても、バックアップした記録メディア１４ｂを取材スタッフが放送部Ｄに到着後、編集スタッフに手渡しすることで行ってもよい。
【００６０】
そして、この高ビットレート転送された高画質オンライン映像は、放送部Ｄ内の高ビットレート受信手段４１により受信され（ステップＳ４１）、外部記憶手段１３ｃによって記録され（ステップＳ４２）放送に付される（ステップＳ４３）。
【００６１】
以上述べたように、本発明においては、中継用のカメラ装置部Ａにあらかじめ低画質映像を出力できる機能を設けることにより、低画質映像を携帯電話回線などを通じてリアルタイムで放送局に伝送するようにした。そして、放送局内の編集スタッフにより、受信した低画質映像が撮影とほぼ同時進行でパソコンによりオフライン編集され、作成された低画質オフライン編集映像のＥＤＬ信号が撮影現場に転送されるようにした。そして、このＥＤＬ信号に基づいて中継部Ｃ内のオンライン編集装置Ｆ（撮影映像編集装置）において自動で高画質オンライン編集映像が作成されるようにした。また、この高画質オンライン編集映像を記録メディア１４ｂに記録しつつ放送局Ｃに高ビットレート送信可能とした。
【００６２】
これにより、従来では、撮影終了後、全撮影映像を通信衛星回線等の専用回線を経由して編集部Ｂに送信してから編集スタッフが行うか、または、移動中もしくは中継現場の中継車の中で取材スタッフが行っていた高画質オンライン編集映像（放送映像）の作成を、中継現場で撮影終了とほとんど同時に完了可能とした。よって、従来方法と比較して、編集映像の品質を維持しつつ、撮影終了から放送用の編集映像送出までのリードタイムを大幅に短縮することが可能になる。さらに、取材により収録した撮影映像と編集後の放送映像との容量の格差が数倍から十数倍であることを考えると、従来において全撮影映像を通信衛星回線で転送していた場合に比較して大幅な通信コストの削減効果も得られる。
【００６３】
（第二の実施の形態）
次に、図面を参照しつつ本発明にかかる第二の実施の形態について説明する。図３は、スポーツ中継において、ゴルフトーナメントを一例に撮影映像を高画質オンライン編集映像（放送映像）とするまでの処理フローを示すフローチャートである。
【００６４】
ゴルフ中継の特徴は、成績上位のプレーヤを中心に各ホールで同時進行している複数のプレーを複数のカメラで追っていくことである。ゴルフ中継のダイジェストの編集は、着目するプレーヤの各ホールでのプレーが終了するたびに、ハイライトシーンを抽出し、つなげていく作業の連続である。前記したように、着目するプレーヤが複数存在し、各プレーヤのホールプレー毎にハイライトシーンがダイジェスト編集されていくので、一般の中継放送と比較して、高画質オンライン編集映像（放送映像）の製作に手間がかかり、時間を要することとなる。
【００６５】
一方、海外におけるゴルフトーナメントでは、時差の関係から、朝の報道番組において試合の最新状況をダイジェスト放送する必要性に迫られる場合がある。また、プレーオフになると、勝者が決まるまで試合が継続するので、予定していた放送時間直前まで、勝負の結果が定まらないことがある。以上述べた理由により、スポーツ中継においても、試合終了から高画質オンライン編集映像（放送映像）の送出までのリードタイムの短縮化に向け強い要望が存在し、本発明を達成する撮影映像編集システムは、かかる要望に応えるものである。
【００６６】
以下、図１および図３を参照して、ゴルフトーナメント中継における高画質オフライン編集映像（放送映像）の送出までの処理フローを説明する。また、第一実施形態に対応するステップには図２と同じ符号を付し詳細な説明は省略することとする。
図３に付した符号Ｘ、Ｙ、Ｚはそれぞれ、各ホールに配置され、着目するプレーヤのプレーを撮影する撮影スタッフが操作するカメラ装置部Ａの動作フローを示したものである。第二実施形態においては、撮影スタッフを統括し、低画質オフライン編集映像を作成する編集スタッフが作業を行う編集部Ｂは、中継部Ｃとともにゴルフ場のコース外の適当なところに存在していることとする。
【００６７】
まず、第１ホールから第ｎホールにおける各プレーヤのティーショットからカップインするまでの映像が、編集スタッフの統制下、各撮影スタッフにより撮影される（ステップＳ２０、Ｓ２１、Ｓ２２、Ｓ２５）。そして、各ホールにおけるプレーの状況は低画質映像として、一般回線（電話回線）を経由してコース外の編集部Ｂに送信され（ステップＳ２３、Ｓ３２）、リアルタイム動画として、編集スタッフにチェックされつつ、パソコンのハードディスク（低画質映像記憶手段２２）に記録される（ステップＳ３３）。編集スタッフは、最大ｎ個の低画質映像から、必要な映像カットを抽出して、低画質オフライン編集映像を作成する（ステップＳ３４）。
【００６８】
一方、各ホールにおける撮影スタッフは、適時、撮影映像が記録された記録メディア１４ａを中継部Ｃにハンドキャリする。このように、各ホールからハンドキャリして中継部Ｃに収集された、複数の記録メディア１４ａは、含まれる撮影映像が短い断片にすぎない場合もあるので、適度に相互にダビングして集約され、オンライン編集装置Ｆ（撮影映像編集装置）にセットされる（ステップＳ２６）。
【００６９】
ゴルフトーナメント終了から、番組放送時間まで、充分時間がある場合は問題ないが、試合の結果が定まらないとき編集スタッフは、予め定められている放送局への高画質オンライン編集映像（放送映像）の送出タイムリミットまでに、ステップＳ３４、Ｓ２６の作業を行う。そして、放送映像の送出タイムリミットを迎えるまでに、作成した低画質オフライン編集映像のＥＤＬデータから、高画質オンライン編集映像（放送映像）を作成し（ステップＳ３５、Ｓ２７）、放送部Ｂに向けて送信する（ステップＳ２８）。そして、その後は、前記した同様の手順（ステップＳ４１、Ｓ４２、Ｓ４３）を経て、ゴルフトーナメントの最新ダイジェスト映像が放送されることとなる。
【００７０】
【発明の効果】
以上説明したとおり、本発明に係る撮影映像編集方法およびその装置により以下に示す優れた効果を奏する。
請求項１および請求項２にかかる発明によれば、中継現場における撮影と編集作業がほとんど同時平行で行われるため、撮影終了から高画質オンライン編集映像（放送映像）の作成が、ほとんど間をおかずして可能となる。これにより、中継現場での撮影終了から放送までのリードタイムが大幅に短縮され、例えば、放送時間間近に入ってきた緊急ニュースの取材映像や、もしくは放送中に終了したスポーツ中継のハイライトシーン等を編集し放送することが容易となる。
【図面の簡単な説明】
【図１】本発明を達成する撮影映像編集システムのブロック図である。
【図２】第一の実施の形態にかかる報道番組制作において、中継現場の撮影映像が放送用の編集映像に編集されるまでの一連の処理を示したフローチャートである。
【図３】第二の実施の形態において、ゴルフトーナメントの撮影映像を編集して放送映像にする一連の処理を示したフローチャートである。
【図４】本発明にかかるオフライン編集作業により、ＥＤＬデータを得るまでの過程を示す図である。
【符号の説明】
Ａ  カメラ装置部
Ｂ  編集部
Ｃ  中継部
Ｄ  放送部
Ｅ  編集処理装置
Ｆ  オンライン編集装置（撮影映像編集装置）
１１  撮影手段
１２  高ビットレートエンコーダ
１３ａ、１３ｂ、１３ｃ  外部記憶手段
１４ａ、１４ｂ、１４ｃ  記録メディア
１５  低ビットレートエンコーダ
１６  バッファメモリ
１７  低ビットレート送信手段
２１  低ビットレート受信手段
２２  低画質映像記憶手段
２３  オフライン編集手段
２４  編集リスト生成手段
２５  映像モニタ
２６  編集リスト送信手段
３１  記録メディア再生手段
３２  編集リスト受信手段
３３  編集リスト制御手段
３４  高ビットレート送信手段
４１  高ビットレート受信手段
４２  送信手段
【図１】
2004289718.tif 000003
【図２】
2004289718.tif 000004
【図３】
2004289718.tif 000005
【図４】
2004289718.tif 000006